(57)【特許請求の範囲】
【請求項１】
ケージと、
記憶装置が搭載され、かつ、前記ケージに収容される収容位置と前記ケージから突出する突出位置の間を移動可能なトレイと、
前記トレイに取り付けられ、前記記憶装置の異常が検出された場合、前記ケージに係合する係合位置から前記ケージに対する係合が解除される係合解除位置に移動するロック部と、
前記ケージと前記トレイの間に配置された弾性部材と、
前記ロック部を前記係合位置から前記係合解除位置に移動させるアクチュエータと、
前記記憶装置の異常が検出された場合、前記ロック部が前記係合位置から前記係合解除位置に移動するように前記アクチュエータを制御する制御手段と、
前記トレイに取り付けられ、前記アクチュエータに電気的に接続された第１部材と、
前記ケージに取り付けられ、前記制御手段に電気的に接続された第２部材と、
を備え、
前記弾性部材は、前記トレイが前記収容位置に位置し、かつ、前記ロック部が前記係合位置に位置した状態で弾性変形して前記トレイを前記突出位置に移動する方向に付勢し、
前記トレイは、前記ロック部が前記係合位置から前記係合解除位置に移動した場合、前記弾性部材により前記収容位置から前記突出位置に移動し、
前記第１部材は、前記トレイが前記収容位置に移動した場合、当該第１部材が前記第２部材に電気的に接触するように、前記トレイのうち前記第２部材が対向する箇所に取り付けられており、
前記制御手段は、前記第１部材と当該第１部材に電気的に接触した前記第２部材を介して前記アクチュエータを制御する、ストレージ装置。
【請求項２】
前記制御手段は、前記記憶装置の異常が検出された場合、当該記憶装置に対する電源供給を停止した後、前記ロック部が前記係合位置から前記係合解除位置に移動するように前記アクチュエータを制御する、請求項１に記載のストレージ装置。
【請求項３】
前記トレイは、スライド移動可能なようにガイドレールを介して前記ケージに取り付けられている請求項１又は２に記載のストレージ装置。
【請求項４】
ケージと、前記ケージに収容される収容位置と前記ケージから突出する突出位置の間を移動可能なトレイと、前記トレイに搭載された記憶装置と、の組み合わせを複数有するストレージ装置において記憶装置の異常を検出するステップと、
記憶装置の異常が検出された場合、当該異常が検出された記憶装置が搭載された前記トレイの前記ケージに対する係合が解除されるようにアクチュエータを制御するステップと、
前記係合が解除された前記トレイを弾性部材により前記収容位置から前記突出位置に移動させるステップと、
前記トレイに取り付けられ、前記アクチュエータに電気的に接続された第１部材と、前記ケージに取り付けられ、制御手段に電気的に接続された第２部材と、を電気的に接触させるステップと、を備え、
前記アクチュエータを制御するステップは、前記制御手段が前記第１部材と当該第１部材に電気的に接触した前記第２部材を介して実行する、異常記憶装置特定方法。
【発明の詳細な説明】
【技術分野】
【０００１】
本発明は、ストレージ装置、及び異常記憶装置特定方法に関する。
【背景技術】
【０００２】
トレイ（ユニット）に搭載された記憶装置（例えば、ＨＤＤ（Hard Disk Drive））の異常（故障を含む。以下同様）が検出された場合、ピニオンギヤを介して伝達されるモータの駆動力により軸方向に移動するロッド（押出部材）がトレイを押すことで、トレイが収容位置から突出位置に移動するストレージ装置が例えば特許文献１に記載されている。収容位置は、トレイが筐体内に収容される位置である。突出位置は、トレイが筐体から突出する位置である。
【先行技術文献】
【特許文献】
【０００３】
【特許文献１】特開２０１９−１１４１０８号公報
【発明の概要】
【発明が解決しようとする課題】
【０００４】
しかしながら、特許文献１に記載のストレージ装置においては、トレイが収容位置から突出位置に移動する間中、モータを回転させ続けなければならないため、消費電力が大きくなるという問題点があった。
【０００５】
本発明の目的は、上述した課題を鑑み、消費電力を抑制することができるストレージ装置、及び異常記憶装置特定方法を提供することにある。
【課題を解決するための手段】
【０００６】
本発明のストレージ装置は、ケージと、記憶装置が搭載され、かつ、前記ケージに収容される収容位置と前記ケージから突出する突出位置の間を移動可能なトレイと、前記トレイに取り付けられ、前記記憶装置の異常が検出された場合、前記ケージに係合する係合位置から前記ケージに対する係合が解除される係合解除位置に移動するロック部と、前記ケージと前記トレイの間に配置された弾性部材と、を備え、前記弾性部材は、前記トレイが前記収容位置に位置し、かつ、前記ロック部が前記係合位置に位置した状態で弾性変形して前記トレイを前記突出位置に移動する方向に付勢し、前記トレイは、前記ロック部が前記係合位置から前記係合解除位置に移動した場合、前記弾性部材により前記収容位置から前記突出位置に移動する。
【０００７】
本発明の異常記憶装置特定方法は、ケージと、前記ケージに収容される収容位置と前記ケージから突出する突出位置の間を移動可能なトレイと、前記トレイに搭載された記憶装置と、の組み合わせを複数有するストレージ装置において記憶装置の異常を検出するステップと、記憶装置の異常が検出された場合、当該異常が検出された記憶装置が搭載された前記トレイの前記ケージに対する係合が解除されるようにアクチュエータを制御するステップと、前記係合が解除された前記トレイを弾性部材により前記収容位置から前記突出位置に移動させるステップと、を備える。
【発明の効果】
【０００８】
本発明により、消費電力を抑制することができるストレージ装置、及び異常記憶装置特定方法を提供することができる。
【図面の簡単な説明】
【０００９】
【図１】実施形態１のストレージ装置１Ａのシステム構成図である。
【図２】実施形態２のストレージ装置１Ｂの斜視図である。
【図３】実施形態２のストレージ装置１Ｂの配置例である。
【図４】実施形態２のストレージ装置１Ｂのシステム構成図である。
【発明を実施するための形態】
【００１０】
（実施形態１）
以下、本発明の実施形態１であるストレージ装置１Ａについて添付図面を参照しながら説明する。各図において対応する構成要素には同一の符号が付され、重複する説明は省略される。
【００１１】
まず、図１を用いて、実施形態１のストレージ装置１Ａの構成について説明する。
【００１２】
図１は、実施形態１のストレージ装置１Ａのシステム構成図である。
【００１３】
図１（ａ）に示すように、実施形態１のストレージ装置１Ａは、ケージ１０と、トレイ２０と、ロック部３０と、弾性部材４０と、を備えている。ケージ１０、トレイ２０、ロック部３０、及び弾性部材４０は、筐体２内に収容されている。
【００１４】
トレイ２０には、記憶装置５０が搭載されている。記憶装置５０は、例えば、ＨＤＤである。以下、記憶装置５０としてＨＤＤを用いた例について説明する。以下、ＨＤＤ５０と呼ぶ。トレイ２０は、ケージ１０（筐体２）に収容される収容位置Ｐ１（図１（ａ）参照）とケージ１０（筐体２）から突出する突出位置Ｐ２（図１（ｂ）参照）の間を移動可能なように、ケージ１０に取り付けられている。具体的には、トレイ２０は、水平方向にスライド移動可能なようにガイドレール（図示せず）を介してケージ１０に取り付けられている。
【００１５】
トレイ２０には、ロック部３０を有するスイッチ２１が取り付けられている。ロック部３０は、ＨＤＤ５０の異常（故障を含む。以下同様）が検出された場合、ケージ１０（例えば、ケージ１０に形成された貫通穴又は凹部）に係合する係合位置Ｐ３（図１（ａ）参照）からケージ１０に対する係合が解除される係合解除位置Ｐ４（図１（ｂ）参照）に移動する。
【００１６】
弾性部材４０は、例えば、バネで、ケージ１０（例えば、ケージ１０に取り付けられたバックパネル１１）とトレイ２０の間に配置されている。
【００１７】
図１（ａ）に示すように、弾性部材４０は、トレイ２０が収容位置Ｐ１に位置し、かつ、ロック部３０が係合位置Ｐ３に位置した状態で弾性変形してトレイ２０を突出位置Ｐ２に移動する方向（図１（ａ）中、左方向）に付勢している。その際、ロック部３０が係合位置Ｐ３に位置しているため、トレイ２０は、収容位置Ｐ１に位置したままである。
【００１８】
上記のように、ロック部３０は、ＨＤＤ５０の異常が検出された場合、係合位置Ｐ３から係合解除位置Ｐ４に移動する。このように、ロック部３０が係合位置Ｐ３から係合解除位置Ｐ４に移動した場合、トレイ２０は、弾性部材４０の弾性変形前の形状に戻ろうとする復元力により収容位置Ｐ１から突出位置Ｐ２に（図１（ａ）中、左方向に）移動する。その際、トレイ２０は、ガイドレール（図示せず）に沿って収容位置Ｐ１から突出位置Ｐ２に水平方向にスライド移動する。
【００１９】
以上説明したように、実施形態１によれば、消費電力を抑制することができるストレージ装置、及び異常記憶装置特定方法を提供することができる。
【００２０】
これは、ＨＤＤ５０の異常が検出された場合、モータ等の電力を消費するアクチュエータではなく、弾性部材４０の弾性変形前の形状に戻ろうとする復元力により、トレイ２０を収容位置Ｐ１から突出位置Ｐ２に移動させることによるものである。
【００２１】
（実施形態２）
以下、本発明の実施形態２であるストレージ装置１Ｂについて添付図面を参照しながら説明する。各図において対応する構成要素には同一の符号が付され、重複する説明は省略される。
【００２２】
まず、図２を用いて、実施形態２のストレージ装置１Ｂの構成について説明する。
【００２３】
図２は、実施形態２のストレージ装置１Ｂの斜視図である。
【００２４】
図２に示すように、ストレージ装置１Ｂは、ＨＤＤ５０（図２中図示せず）が搭載されたトレイ２０を備えている。トレイ２０は、例えば、水平方向に複数配置されている。ＨＤＤ５０が搭載されたトレイ２０は、ケージ１０（図２中図示せず）に対して出し入れされる。ストレージ装置１Ｂは、ケージ１０と、トレイ２０と、ＨＤＤ５０と、の組み合わせを複数有している。
【００２５】
各々のトレイ２０に搭載されたＨＤＤ５０（複数のＨＤＤ５０）は、ＲＡＩＤ（Redundant Array of Inexpensive Disks）制御部６０（図４（ａ）参照）に電気的に接続されており、ＲＡＩＤを構成している。なお、説明の便宜のため、図４（ａ）中、１つのトレイ２０に搭載されたＨＤＤ５０のみがＲＡＩＤ制御部６０に電気的に接続されている様子が描かれている。ＲＡＩＤ制御部６０が本発明の制御手段の一例である。
【００２６】
図３は、実施形態２のストレージ装置１Ｂの配置例である。
【００２７】
図３に示すように、ストレージ装置１Ｂは、コンピュータシステム３において上下方向に多段配置されている。
【００２８】
図４は、実施形態２のストレージ装置１Ｂのシステム構成図である。
【００２９】
図４に示すように、ストレージ装置１Ｂは、ケージ１０と、トレイ２０と、ロック部３０と、弾性部材４０と、ＲＡＩＤ制御部６０と、ＨＤＤ電源供給回路７０と、電源８０と、を備えている。ケージ１０、トレイ２０、ロック部３０、弾性部材４０、ＲＡＩＤ制御部６０、ＨＤＤ電源供給回路７０、及び電源８０は、筐体２内に収容されている。
【００３０】
まず、ケージ１０の構成について説明する。
【００３１】
ケージ１０は、ＨＤＤケージとも呼ばれる。ケージ１０は、バックパネル１１を備えている。バックパネル１１は、その正面１１ａがトレイ２０（背面）に対向するようにケージ１０に取り付けられている。バックパネル１１の正面１１ａには、導電性ゴム１２、及び第１コネクタ１３が取り付けられている。導電性ゴム１２は、バックパネル１１を介してＲＡＩＤ制御部６０に電気的に接続されている。導電性ゴム１２が本発明の第２部材の一例である。
【００３２】
第１コネクタ１３は、バックパネル１１を介してＲＡＩＤ制御部６０に電気的に接続された電極（制御用電極）及びバックパネル１１を介してＨＤＤ電源供給回路７０に電気的に接続された電極（電源供給用電極）を有している（いずれも図示せず）。
【００３３】
弾性部材４０は、例えば、バネで、トレイ２０とケージ１０（バックパネル１１）の間に配置されている。弾性部材４０は、例えば、バックパネル１１の正面１１ａに取り付けられている。図４（ａ）に示すように、弾性部材４０は、トレイ２０が収容位置Ｐ１に位置し、かつ、ロック部３０が係合位置Ｐ３に位置した状態で弾性変形してトレイ２０を突出位置Ｐ２に移動する方向（図４（ａ）中、左方向）に付勢している。その際、ロック部３０が係合位置Ｐ３に位置しているため、トレイ２０は、収容位置Ｐ１に位置したままである。
【００３４】
ケージ１０には、トレイ２０に取り付けられたロック部３０が係合する係合部１０ａが形成されている。係合部１０ａは、例えば、ケージ１０に形成された貫通穴又は凹部である。係合部１０ａは、収容位置Ｐ１に移動したトレイ２０のロック部３０が対向する位置に形成されている。
【００３５】
次に、トレイ２０の構成について説明する。
【００３６】
トレイ２０は、ＨＤＤトレイとも呼ばれる。トレイ２０は、ケージ１０に収容される収容位置Ｐ１（図４（ａ）参照）とケージ１０から突出する突出位置Ｐ２（図４（ｂ）参照）の間を移動可能なように、ケージ１０に取り付けられている。具体的には、トレイ２０は、水平方向にスライド移動可能なようにガイドレール（図示せず）を介してケージ１０に取り付けられている。
【００３７】
トレイ２０は、スイッチ２１と、電極２２と、を備えている。スイッチ２１は、ロック部３０と、アクチュエータ２３と、ＬＥＤ２４と、を備えている。ロック部３０は、ケージ１０の係合部１０ａに係合する係合位置Ｐ３（図４（ａ）参照）又はケージ１０の係合部１０ａに対する係合が解除される係合解除位置Ｐ４（図４（ｂ）参照）に移動可能なようにスイッチ２１に取り付けられている。アクチュエータ２３は、ＲＡＩＤ制御部６０からの制御に従ってロック部３０を係合位置Ｐ３から係合解除位置Ｐ４に移動させる。
【００３８】
電極２２は、配線２５を介してスイッチ２１（アクチュエータ２３及びＬＥＤ２４）に電気的に接続されている。電極２２が本発明の第１部材の一例である。電極２２は、トレイ２０が収容位置Ｐ１に移動した場合、当該電極２２が導電性ゴム１２に電気的に接触するように、トレイ２０のうち導電性ゴム１２が対向する箇所に取り付けられている。ＬＥＤは、トレイ２０の正面に設けられている。ＬＥＤ２４は、ＲＡＩＤ制御部６０からの制御に従って点灯することでＨＤＤ５０の稼働状況を報知する。例えば、ＬＥＤ２４は、ＨＤＤ５０の異常（故障を含む。以下同様）が検出された場合、赤色で点灯する。
【００３９】
トレイ２０には、ＨＤＤ５０が搭載されている。ＨＤＤ５０の背面には、第２コネクタ５１が設けられている。第２コネクタ５１は、トレイ２０が収容位置Ｐ１に移動した場合、第１コネクタ１３の電極に電気的に接続される電極（制御用電極及び電源供給用電極。いずれも図示せず）を有している。
【００４０】
次に、ＨＤＤ５０が正常に運用されている場合の動作の一例について説明する。
【００４１】
ストレージ装置１Ｂが正常に運用されている場合、図４（ａ）に示すように、トレイ２０は収容位置Ｐ１に位置し、かつ、ロック部３０が係合位置Ｐ３に位置している。この状態で弾性部材４０は、弾性変形してトレイ２０を突出位置Ｐ２に移動する方向（図４（ａ）中、左方向）に付勢している。その際、ロック部３０が係合位置Ｐ３に位置しているため、トレイ２０は、収容位置Ｐ１に位置したままである。
【００４２】
この状態で、トレイ２０に取り付けられた電極２２がバックパネル１１に取り付けられた導電性ゴム１２に電気的に接触している。また、トレイ２０に搭載されたＨＤＤ５０の背面に設けられた第２コネクタ５１の電極（図示せず）がバックパネル１１に取り付けられた第１コネクタ１３の電極（図示せず）に電気的に接続されている。
【００４３】
また、ストレージ装置１Ｂが正常に運用されている場合、ＨＤＤ電源供給回路７０は、ＲＡＩＤ制御部６０からの制御に従って電源８０からの駆動電源をＨＤＤ５０に供給する。その際、ＨＤＤ電源供給回路７０は、バックパネル１１、第１コネクタ１３（電源供給用電極）、及び第２コネクタ５１（電源供給用電極）を介して電源８０からの駆動電源をＨＤＤ５０に供給する。また、ＲＡＩＤ制御部６０は、ＨＤＤ５０の論理的制御を行う。その際、ＲＡＩＤ制御部６０は、バックパネル１１、第１コネクタ１３（制御用電極）、及び第２コネクタ５１（制御用電極）を介してＨＤＤ５０の論理的制御を行う。さらに、ＲＡＩＤ制御部６０は、バックパネル１１、導電性ゴム１２、当該導電性ゴム１２に電気的に接触した電極２２を介してＬＥＤ２４を制御する。
【００４４】
次に、ＨＤＤ５０に異常が発生した場合の動作の一例について説明する。
【００４５】
ＲＡＩＤ制御部６０がＨＤＤ５０の異常を検出した場合、まず、ＲＡＩＤ制御部６０は、当該異常を検出したＨＤＤ５０に対する電源供給を停止するようにＨＤＤ電源供給回路７０を制御する。ＨＤＤ電源供給回路７０は、ＲＡＩＤ制御部６０からの制御に従って当該異常を検出したＨＤＤ５０に対する電源供給を停止する。
【００４６】
次に、ＲＡＩＤ制御部６０は、ＨＤＤ５０に対する電源供給を停止した後、ロック部３０が係合位置Ｐ３から係合解除位置Ｐ４に移動するようにアクチュエータ２３を制御する。その際、ＲＡＩＤ制御部６０は、バックパネル１１、導電性ゴム１２、当該導電性ゴム１２に電気的に接触した電極２２を介してアクチュエータ２３を制御する。アクチュエータ２３は、ＲＡＩＤ制御部６０からの制御に従ってロック部３０を係合位置Ｐ３から係合解除位置Ｐ４に移動させる。
【００４７】
このように、ロック部３０が係合位置Ｐ３から係合解除位置Ｐ４に移動した場合、トレイ２０は、弾性部材４０の弾性変形前の形状に戻ろうとする復元力により収容位置Ｐ１から突出位置Ｐ２に（図４（ａ）中、左方向に）移動する。その際、トレイ２０は、ガイドレール（図示せず）に沿って収容位置Ｐ１から突出位置Ｐ２に水平方向にスライド移動する。
【００４８】
以上説明したように、実施形態２によれば、消費電力を抑制することができるストレージ装置、及び異常記憶装置特定方法を提供することができる。
【００４９】
これは、ＨＤＤ５０の異常が検出された場合、モータ等の電力を消費するアクチュエータではなく、弾性部材４０の弾性変形前の形状に戻ろうとする復元力により、トレイ２０を収容位置Ｐ１から突出位置Ｐ２に移動させることによるものである。
【００５０】
データセンターでは大容量のファイルを保管、管理しており、システムとしてディスクアレイ装置等のストレージ装置を設置することが多くなっている。ストレージ装置は、本体装置のディスクアレイ制御ボードに接続され、ＲＡＩＤ構成にてＨＤＤが十数台実装されている。データセンターのシステムでは、それらストレージ装置を複数台組み込んだシステムラックを何十台も設置している。
【００５１】
よって、一つのシステムに実装されるＨＤＤは数十台となり、その中でＨＤＤに異常が発生した場合、該当ＨＤＤを特定するのに時間を要するという問題点がある。また、ＨＤＤ台数が膨大となるため、異常が発生したＨＤＤを交換する際に誤って異常が発生したＨＤＤと異なるＨＤＤを取り外してしまう事象が発生するという問題点もある。また、将来的にＨＤＤやＨＤＤに相当するデバイスは小型化する方向に進んでおり、装置又はシステムに実装されるＨＤＤ台数がさらに多くなると、このような問題点の発生率が多くなる。
【００５２】
これに対して、実施形態２によれば、ＨＤＤ５０の異常が検出された場合、当該異常が検出されたＨＤＤ５０が搭載されたトレイ２０が自動的に突出位置Ｐ２に移動するため、複数のＨＤＤ５０が実装されている場合でも、異常ＨＤＤ５０を迅速かつ容易に特定することができる。また、異常が発生したＨＤＤと異なるＨＤＤを誤って抜き取ってしまうのが抑制される。また、異常が検出されたＨＤＤ５０を容易に交換することができる。
【００５３】
また、実施形態２によれば、ＨＤＤ５０の異常が検出された場合、当該ＨＤＤ５０に対する電源供給が停止されるため、不要な電力を削減することができる。
【００５４】
上記実施形態で示した数値は全て例示であり、これと異なる適宜の数値を用いることができるのは無論である。
【００５５】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００５６】
１Ａ、１Ｂ  ストレージ装置
２  筐体
１０  ケージ
１０ａ  係合部
１１  バックパネル
１１ａ  正面
１２  導電性ゴム
１３  第１コネクタ
１６  導電性ゴム
２０  トレイ
２１  スイッチ
２２  電極
２３  アクチュエータ
２４  ＬＥＤ
２５  配線
３０  ロック部
４０  弾性部材
５０  記憶装置
５１  第２コネクタ
６０  制御部
７０  電源供給回路
８０  電源
【図１】
0006915896.tif 000002
【図２】
0006915896.tif 000003
【図３】
0006915896.tif 000004
【図４】
0006915896.tif 000005